Podtech/llm-jp-corpus-v4-ja_patent huggingface dataset:
(57)【要約】【課題】圧縮要素の歪の発生を防ぐための方法として、レーザー溶接などの溶接を用いてアキュムレータの内管２と密閉容器バーリング部１をレーザーなどで溶接固定する方法が知られているが、レーザーの照射角度によっては、板厚の薄いアキュムレータの内管２をレーザーが貫通してしまうといった課題があった。【解決手段】本発明では、前述した問題点を解決するためになされたものであり、アキュムレータの内管２の中心線を基準にレーザーの照射角αを０°≦α≦１０°とした。【選択図】図１
2012092692.tif 000002
【特許請求の範囲】
【請求項１】
密閉容器と、前記密閉容器に接続される内管を有するアキュムレータを備え、前記アキュムレータの内管と密閉容器バーリング部の接続をレーザー溶接で行う密閉型圧縮機であって、レーザー照射角を、アキュムレータの内管の中心線にたいして０度から１０度の範囲内とした密閉型圧縮機の製造方法。
【発明の詳細な説明】
【技術分野】
【０００１】
本発明は、冷凍機、空調機などに使用される密閉型圧縮機の製造方法に関するものである。
【背景技術】
【０００２】
従来、この種の密閉型圧縮機は、密閉容器と、アキュムレータと、吸入外管と、密閉容器内の圧縮要素と、接続管を備えており、前記アキュムレータは吸入外管、接続管、密閉容器によりシールされ圧縮要素と接続されていたが、この方法ではアキュムレータ、圧縮要素、吸入外管、接続管のシールはロー付けで行われているため、ロー付け時の熱の影響で圧縮要素に歪が発生してしまうという問題があった。
【０００３】
そのため、圧縮要素内にＯリングを配置することにより、接続管の圧入及びロー付け時の歪を低減する方法が知られている（例えば、特許文献１参照）。
【０００４】
しかし、前述したようなＯリングを配置する構造では、部品点数が増えると共に、圧縮要素にもＯリングを配置するための追加工をする必要が有り、結果として圧縮機のコストアップを招いていた。この課題を解決するための手段として、アキュムレータの内管長を伸ばし、Ｏリングに直接内管を挿入し、レーザー溶接などを用いて、アキュムレータの内管と密閉容器に設けられたバーリング部を固定する方法が提案されている（例えば、特許文献２参照）。
【先行技術文献】
【特許文献】
【０００５】
【特許文献１】特開昭６１−１１８５７６号公報
【特許文献２】特開２００９−１５０２８６号公報
【発明の概要】
【発明が解決しようとする課題】
【０００６】
前述のように、レーザー溶接を用いてアキュムレータの内管と密閉容器バーリング部を溶接した場合、レーザーの照射角度によっては、板厚の薄いアキュムレータの内管をレーザーが貫通してしまい溶接不良となるといった課題があった。
【課題を解決するための手段】
【０００７】
本発明は、前記問題点を解決するためになされたものであり、アキュムレータの内管の中心線を基準にレーザー照射角αを０°≦α≦１０°に限定した。
【発明の効果】
【０００８】
レーザー照射角αを０°≦α≦１０°とすることで、安定した溶接を得ることが可能となった。
【図面の簡単な説明】
【０００９】
【図１】本発明の実施の形態１における密閉型圧縮機の製造方法を示す図
【図２】本発明の実施の形態１における溶接部の断面を示す図
【図３】レーザー照射角が大きいときの溶接部の断面を示す図
【発明を実施するための形態】
【００１０】
第１の発明は、密閉容器と、アキュムレータを備え、アキュムレータの内管と密閉容器
バーリング部の接続をレーザー溶接で行うことを特徴とした密閉型圧縮機において、レーザー照射角αを、アキュムレータの内管の中心線を基準に０°≦α≦１０°とした密閉型圧縮機である。
【００１１】
以下、本発明の実施の形態について、図面を参照しながら説明する。なお、以下に記載する実施の形態により本発明が限定されるものではない。
【００１２】
（実施の形態１）
図１は、本発明の一実施例を示す密閉型圧縮機の主要部を示すものである。図１において、密閉容器には密閉容器バーリング部１が設けられており、前記密閉容器バーリング部１にアキュムレータの内管２を挿入し、レーザー溶接などを用いて溶接する構成となっている。
【００１３】
レーザーを用いて溶接する場合、一般的には隙間に対し直角方向からレーザーを照射するが、アキュムレータの内管２と密閉容器バーリング部１を溶接する場合には、アキュムレータボデーなどが障害物となるため、アキュムレータの内管２に対していくらかレーザー照射の角度を設ける必要があった。しかしながら、レーザーの照射角によっては、溶接部３において薄肉のアキュムレータの内管２をレーザーが貫通し溶接不良を発生させるといった課題があった。
【００１４】
そこで、最適なレーザー照射角の検証を行った結果、アキュムレータの内管２の中心線を基準としてレーザー照射角αが０°≦α≦１０°の範囲では、図２に示すように良好な溶接部３を得ることができた。これに対し、照射角αが１０°を超えた場合には、図３の溶接部３１に示すようにレーザーが薄肉のアキュムレータの内管を貫通してしまうという不具合が観察された。
【００１５】
前述の実験結果から、本発明ではアキュムレータの内管２と密閉容器バーリング部１をレーザー溶接する際のレーザー照射角αを０°≦α≦１０°の範囲に限定することで、安定した溶接を得ることが可能となった。
【産業上の利用可能性】
【００１６】
以上のように、本発明における密閉型圧縮機は、溶接を安定させ信頼性の高い密閉型圧縮機を提供することができる。
【符号の説明】
【００１７】
１    密閉容器バーリング部
２    内管
３    溶接部
３１  溶接部
【図１】
2012092692.tif 000003
【図２】
2012092692.tif 000004
【図３】
2012092692.tif 000005
(57)【要約】【課題】ヒバ材に所定の処理を施すことで得られた機能性材の提供を目的とする。【解決手段】チップ状又は粉状に粉砕したヒバ材からなる粉砕材を、水蒸気処理して得られた水蒸気処理粉砕材を原料として用いたことを特徴とする。【選択図】  図１
2012092041.tif 000002
【特許請求の範囲】
【請求項１】
チップ状又は粉状に粉砕したヒバ材からなる粉砕材を、水蒸気処理して得られた水蒸気処理粉砕材を原料として用いたことを特徴とする機能性材。
【請求項２】
雑草生育抑制機能、除菌・防カビ機能、防アリ機能、消臭・芳香機能及び調湿機能のうち、いずれか１つ以上の機能を有することを特徴とする請求項１記載の機能性材。
【発明の詳細な説明】
【技術分野】
【０００１】
本発明はヒバ材を利用した機能性材に関し、特にヒバの木粉を用いた機能性材に係る。
【背景技術】
【０００２】
ヒノキやヒバにはヒノキチオール等を含有することから、ヒバ材から得られた木粉は除菌、防カビ効果を有し、消臭・芳香効果があることは公知である。
特許文献１には建築物の床下空間に敷設することで、調湿効果と白アリやダニ等の害虫忌避効果を利用する技術を開示する。
しかし、同公報に開示する害虫忌避性家屋用調湿材はヒバ木粉を吸放湿性基材に配合し、所定形状に造形固化したものであって、ヒバ木粉の有する機能が充分に得られないものであった。
【０００３】
そこで、本発明者が能登ヒバの有する各種機能を充分に出現させる方法を検討及び実験した結果、能登ヒバを単にチップ状、粉状に粉砕するだけでは充分な機能が発揮しないが、水蒸気にて蒸すことで、これまでにない優れた機能を発現することが明らかになった。
【０００４】
特許文献２に青森ヒバを製材する際に発生するおがくずを蒸留し、冷却することで青森ヒバ油（精油）を得ることを開示するとともに残渣物の炭素成分を木炭として利用することを示唆するものの、その他の活用方法については何ら言及されていない。
【先行技術文献】
【特許文献】
【０００５】
【特許文献１】特開２００５−１８００６７号公報
【特許文献２】特開２００１−５９０９７号公報
【発明の概要】
【発明が解決しようとする課題】
【０００６】
本発明はヒバ材に所定の処理を施すことで得られた機能性材の提供を目的とする。
【課題を解決するための手段】
【０００７】
本発明に係る機能性材は、チップ状又は粉状に粉砕したヒバ材からなる粉砕材を、水蒸気処理して得られた水蒸気処理粉砕材を原料として用いたことを特徴とする。 
ここで機能性とは、雑草生育抑制機能、除菌・防カビ機能、防アリ機能、消臭・芳香機能及び調湿機能のうち、いずれか１つ以上の機能を有することをいう。
【０００８】
本発明にて、原料となるヒバ材の粉砕材は製材時に発生するおがくずを用いてもよく、間伐材、製材時の木材クズ、枝材等をチップ状、粉状に粉砕したものを用いることもできる。
【０００９】
本発明で、水蒸気処理をするとは水蒸気にてヒバの粉砕材を所定時間蒸すことをいい、この際、粉砕材を蒸した後の水蒸気にはヒバ油が含まれていることから冷却することでヒバ油（精油）とヒバ蒸留水が得られる。
従って、これらのヒバ油及びヒバ蒸留水は除菌・防カビ剤、消臭・芳香剤として利用できる。
本発明にて特徴的なのは常圧に近い圧力の水蒸気でヒバの粉砕材を１〜１０時間蒸し（水蒸気処理）、乾燥させると、得られた乾燥粉砕材の表面に油膜が生成されている点にある。
従って水蒸気処理は粉砕材の表面に油膜が形成される条件がよく、完全に成分を蒸留抽出してはならない。
【発明の効果】
【００１０】
本発明に係る機能性材はヒバ材からなる粉砕材を水蒸気処理することで粉砕材の表面に含有成分が凝縮し、油膜を生成したのでヒバ材の本来有する機能が増大し、単なる木粉では得られない優れた効果を有する。
【００１１】
例えば本発明に係る機能材をメッシュ状の袋体や布袋に結めて建築物の壁や床下空間等に配置すると防アリ機能が発揮し、害虫から家屋を守ることができ、さらには水蒸気処理後に乾燥処理すると調湿機能を発揮する。
従って、建築物の害虫忌避剤、吸放湿調整剤として利用できる。
また、通気性を有する容器に入れて、消臭・芳香剤として利用できる。
ヒバの香りは心身をリラックスさせる効能もある。
【００１２】
また、実験結果は後述するが本発明に係る機能材を地面に敷設すると雑草の生育を抑制する効果が高く、単なるヒバ材の木粉以上に優れる。
【図面の簡単な説明】
【００１３】
【図１】雑草が生えていた地面に本発明に係る機能材を撒いた結果を示す。
【図２】比較として雑草地にヒバ材の木粉を撒いた結果を示す。
【発明を実施するための形態】
【００１４】
本発明に係る機能材が単なるヒバ材の木粉と相違することを実験確認したので、以下説明する。
図１は３月の雑草が生えた土地の手前側にのみ本発明に係る機能材を撒き、約７ヶ月経過した１０月時点での状態を写真に撮ったものである。
手前側の部分に生えていた雑草が無くなり、新たな雑草も生えていないのが分かる。  これに対して、図２は上記と同じ３月に単にヒバ材のおがくずを撒いた雑草地の１０月時点での状態を示す。
図２の写真にて建物の外壁側に位置する約半分がおがくずをそのまま撒いた部分であり、残りの部分は何も撒いていない。
雑草の生育が抑制されているものの、明らかに図１に示した本発明に係る機能性材の方が優れている。
【図１】
2012092041.tif 000003
【図２】
2012092041.tif 000004
(57)【要約】【課題】  本発明は、ＬＥＤチップを発光源とし、乾電池または交流電源を使ったローソクの形状をした照明具で揺らぎのあることを特徴とする。【解決手段】  発光源にＬＥＤチップを使い、乾電池または交流電源によって電磁石を磁化しランプと一体の永久磁石との反発力でランプの揺らぎを行うものである。【選択図】図１
2012089462.tif 000002
【特許請求の範囲】
【請求項１】
筒型の管上部からランプを突出させ、そのランプと一体の永久磁石、その永久磁石を時々反発させる電磁石、その電磁石を磁化する駆動回路、その駆動回路を駆動する電源を前記管の内部乃至前記管に固定された他の部材内に納め、前記点灯したランプが不規則に動くことを特徴とする照明具
【発明の詳細な説明】
【技術分野】
【０００１】  本発明は、ＬＥＤランプを発光源とする照明具に関するものである。
【背景技術】
【０００２】  インテリア、仏壇、斎場、テーブル飾り、装飾器具として、多くの場面でロウソクが使用されている。
最近は、炎の部分に電球を使用したものも見かけるが、実際に炎の部分を可動させ揺らぎを与えているものは見かけない。
本発明は、発光部分を可動させ、見た目に本物のローソクに出来るだけ近づけるようにしたものである。
乾電池または交流電源を使って、火災の心配もなく安全で、かつ炎が実際に揺らいでいる照明具を提供することにある。
【発明の開示】
【本発明が解決しようとする課題】
【０００３】  本発明では、交流または乾電池を電源として使い、火災の危険を無くし、また炎の揺らぎはコンデンサーにチャージされた電荷を電磁石に流したとき発生する電極とそれに対峙する永久磁石が反発することを考案した。
【課題を解決するための手段】
【０００４】  また本発明は、発光部の電球にＬＥＤランプを使って長時間の点灯を可能とした。特に乾電池の使用のときはＬＥＤ素子の消費電流が少ないため長時間の点灯が可能である。
【実施例】
【０００５】以下、添付図面に従って一実施例を説明する。【０００６】  図１は、祭壇に置く本発明の照明具である。
外観は従来使われてきたローソクに類似した形状である。図では電源に乾電池が使われている。
交流電源を使った照明具も可能である。【０００７】  図２は携帯用として考えた形状である。【０００８】  先にランプ１の構成を図３で説明する。
ランプ１は、半透明で白色のプラスチック１ｂの中にＬＥＤランプがあり、通電すると電球色に発光する。１ｃのカバーと永久磁石２ｄが一体となっている。【０００９】  図１に戻って本発明を説明する。
ランプ１のカバー１ｃには細い紐５が貫通していて、紐の両端が筒３に固定されている。紐５を軸として外部から力が加わると揺れるようになっている。【００１０】  図１で電磁石３、その電磁石を時々磁化する回路を有する回路部４、回路部を駆動する電源が乾電池６及び７である。
ランプと一体の永久磁石と電磁石は図３に示すように偏心している。
【産業上の利用の可能性】
【００１１】  本発明によるローソクは、インテリア、仏壇、斎場、レストラン等の長時間の点灯が火災の心配なく使うことが出来、またエンターテインメントの場にも手軽に携帯し使用できる。
【図面の簡単な説明】
【図１】  斎場用の本発明であるローソク型照明具を示す。
【図２】  携帯用の本発明であるローソク型照明具を示す。
【図３】  ランプの構成を示す。
【図４】  ランプの揺らぎを示す。
【符号の説明】１      ランプ
１ａ    ＬＥＤランプ
１ｂ    プラスチック
１ｃ    カバー
１ｄ    永久磁石
２      電磁石
３      筒カバー
４      回路部
５      脚
６、７  乾電池
８      電池カバー
９      ホルダー
【図１】
2012089462.tif 000003
【図２】
2012089462.tif 000004
【図３】
2012089462.tif 000005
【図４】
2012089462.tif 000006
(57)【要約】      （修正有）【課題】神社や遺跡の配置関係を明示したり、未発見の古代遺跡の位置を求めたりする方法を提供する。【解決手段】任意の神社の二点を結んだ線に直角に伸びる線が、特定の一点に収斂する特異点を持つ規則とその特異点を結んだ線が二等辺三角形になる特性を利用して神社や遺跡の位置関係を明視すると共に、未発見の遺跡や水源跡、消滅した神社の位置になどを求める。【選択図】図１
2012089097.tif 000002
【特許請求の範囲】
【請求項１】
特異点となる一点を起点として周辺の神社位置に線を引き、その線に対して直角に伸ばした線の先に神社がある頻度の高い特異点を探し、その特異点を起点として、周辺の神社に線を引き、そこを屈曲点として直角に伸ばした先にある神社まで線を引いた神社配置の表示方法と特異点の探査方法。
【請求項２】
請求項１で求めた特異点を頂点Ａとして、周辺にある同様特異点で頂点Ａから等距離にある二つの特異点Ｂ、Ｃを底辺として頂点をＡとする二等辺三角形で特異点の配置関係を表示する方法と特異点探査方法。
【発明の詳細な説明】
【技術分野】
【０００１】  本発明は神社や遺跡が計画的に配置されていることを明視すると共に未検出の遺跡や神社位置を求める方法に関する。
【背景技術】
【０００２】  神社や遺跡の位置は一般的にはランダムに配置されていると考えられ、その配置には規則性がないと一般的に考えられていた。【０００３】  このような中で、俗にレイラインと呼ばれる手法で神社や遺跡間に線を引き、その線の作るパターンやその方向で意味付けしようとする方法もいくつかは試みられていたが、どれも信頼性に乏しく学問的に取り上げられるレベルのものは皆無であり、一部のマニアの間で趣味のレベルで行われているに過ぎなかった。
【発明の概要】
【発明が解決しようとする課題】
【０００４】  全国には国土地理院の地図に掲載されている神社だけでも十数万社以上もの神社があり、その分布は豆粒を床にばらまいたように見える。遺跡についても同様であり、その中から統計的に見ても意味のある規則性を見つけることは不可能とされていた。【０００５】  たまたま、規則性があるような事象を見つけてもそれが偶然か、何か意味があるものかは判然とせず、それを見つけるには虚しく忍耐の必要な作業が必要であった。しかも、神社配置に規則性などあるはずはないとした意見が大勢を占めているので、その作業を続けるには精神的な苦痛も伴なう。【０００６】  このような困難を乗り越えて神社や遺跡の配置規則を求め、その特異点にある未発見の神社や神社跡、遺跡のある場所を求めようとするものである。
【課題を解決するための手段】
【０００７】  課題を解決する簡単な手法は見いだせなかった。まず電子地図上に作業しやすいように神社や遺跡の位置を示すマークをプロットすることから始まる。神社だけでも全国十数万点もあり、このプロット作業だけでも手間と人手がかかる。この後はひたすら思考錯誤の努力をするのみである。一万時間ほど虚しい努力を続けると線の引き方もようやく慣れてきて、突然に法則が見えてくる。【０００８】  請求項１にあるような特異点が全国にあることがわかると、今度はその特異点を探す試行錯誤の作業が続く。この特異点を以下は神社群中心と呼ぶ。この中で、古代人が極めて高い精度で神社配置を決めていたことがわかって来た。メルカトル図法の地図は緯度が変わると方位角が変わる特性があり、直角の角度はその屈曲点が地図の原点となる作業も必要である。【０００９】  この作業はその機能を持つ国土地理院がｗｅｂ上に公開している電子国土のような電子地図によってはじめて可能となり一般の地図ではそれが不可能である。また、経験的に直角の誤差が一度を超える線は全く意味のないことがわかると大幅に作業効率は上がった。【００１０】  さらに、間違いではないかと不安になるほど遠方に伸びる線の先には必ず神社群中心がある規則も発見した。この発見で神社群中心を試行錯誤で探す作業が不要となり、劇的に作業効率は上がった。【００１１】  さらに、神社群の中で６個の神社によって干字状パターンを作り、奈良県吉野郡野迫川村の山中の一点を指していることを発見した。続いて、同様にして古富士（約３千年前の大噴火で山容が変わる前の富士山の位置と思われる一点）を指す神社群も見つかると共に、干字状パターンの交点が必ず神社群中心となり、その端末も神社群中心になることが多いことがわかると、作業効率は劇的に向上し、本発明が北海道から沖縄まで対応できることがわかった。【００１２】  特異点には神社がある場合が多いが、神社が失われている場合もある。島根県の荒神谷遺跡はその例である。他の例として、洞窟、水源、鉱山、遺跡、尖った山の頂上、ストーンサークルや立石に位置することもある。【００１３】  図１は請求項１によって示した礼文島の神社配置である。ここでは特異点として▲１▼と▲６▼の二つの神社があり、特異点から周辺の神社に伸ばした先に第一の神社があり、第一の神社から直角に伸ばした線の先にも第二の神社があることを示している。神社の代わりに寺院がある場合もあるが、神社がその後寺院に改宗したものである。【００１４】  図２は三つの環状列石が二等辺三角形に配置されていることを示している。三角形の各頂点は請求項１の特異点である。
【発明の効果】
【００１５】  本発明による表示を印刷物や映像、看板、物理的表示装置などに行うことで、これまで知られていなかった神社や遺跡の位置関係を明確に示すことが可能となる。本発明で表示された幾何学パターンはナスカの地上絵よりも古さや精密さにおいても勝り、その効果は大きいと期待される。
【図面の簡単な説明】
【００１６】
【図１】本発明によって表示した北海道礼文島の神社配置図と直角の精度を示す図である。
【図２】本発明によって表示した北海道、東北に位置する環状列石（ストーンサークル）の配置状況である。
【発明を実施するための形態】
【００１７】  請求項１または請求項２に示した法則から、試行錯誤を伴う作業であるが、作図から特異点を求め、遺跡や消失した神社の位置を求めることが可能となる。
【００１８】  さらにあらかじめ、神社や遺跡の位置をコンピュータの記憶装置に収めておき、作図から特異点を求める作業に代わって、演算によって特異点を求め、この位置を地図と連動させて表示させることも可能となり、このしくみを携帯電話機や携帯形ＧＰＳ、携帯端末などに組み込むことも可能である。
【００１９】  このような装置は、遺跡発掘のポイントを決めるには欠かせない機器となる。また、請求項１または請求項２によって求めた特異点はパワースポットとなる場合もあるので、ＧＰＳ機能と連動させて、パワースポットを表示する面白グッズを実現することも可能である。
【図１】
2012089097.tif 000003
【図２】
2012089097.tif 000004
(57)【要約】      （修正有）【課題】利用者の状況確認・介護記録入力・各種帳票出力・メ−ルで情報の共有等包括的把握が可能な一瞬変化の多い特性を有する機能を実施するプログラムおよびそのプログラムを記録した読み取り・アウトプットを可能とした記録媒体機能の提供をする。【解決手段】ソフトのデ−タ入力・デ−タ出力を共通化されたインタ−フェ−ス・デ−タベ−スのデ−タ互換機能を提供する。システム機能は操作を容易とする多種・多様をパソコン業務により有効効果が得られ、好ましい選択の合理的構成が得られる。サ−バ−機能を備えたシステムを入力インタ−フェ−ス機能で入力デ−タを変換入力でき、アイコン対応機能を特徴とする。また、サ−バ−を備えたシステムを出力インタ−フェ−スで出力デ−タを変換出力でき、アイコン対応機能を特徴とする。さらに、パソコン操作を容易にし、正確な入力ができるソフト対応をし、独自性を保持するデ−タの互換性機能を特徴とする。【選択図】なし【特許請求の範囲】
【請求項１】
介護記録システムは、通信網を備え、サ−バを備えた共通化デ−タ入力をインタフェス入力・出力操作を可能とし、変換機能を特徴とする。
【請求項２】
介護記録システムの共通化のインタフェ−スを使用頻度の高い順列のアイコン配列対応を備えた機能を特徴とする。
【請求項３】
介護記録システムは、インタフェ−スの共通化は、デ−タ交換記述言語ＸＭＬ情報システムの自動処理機能を特徴とする。
【請求項４】
請求項１から請求項４において介護の記録システム・プログラム・記録媒体機能の成果を得ることを特徴とする。
【請求項５】
前記、請求項１から請求項４において本発明趣旨を逸脱しない範囲の機能変更は、本発明に含まれる。
【発明の詳細な説明】
【技術分野】
【０００１】本発明は、介護記録システム機能を実施するプログラムおよびそのプログラムの記録を媒体する介護者対応システムに関する。
【背景技術】従来、パソコンソフトの導入は、オフコン導入・パッケ−ジデ−タ導入を主体としている。【０００２】しかし、デ−タ統合・パソコンのＬＡＮ接続でデ−タベ−ス対応に複数の困難が生じている。
パソコンソフトとの互換性機能が無いことで、デ−タのアウトプットから再入力作業を実施している。【０００３】本発明の介護記録システム、プログラムおよび記録媒体機能は、ネットワ−ク管理者を不在とし、汎用性の多種・多様な情報を瞬時に把握・確認のニ−ズ対応を可能とすることで、多くのクライアントが望まれている。【０００４】介護記録システム、プログラムおよび記録媒体者対応に関するシステム・プログラムものが少ないことから、画面タッチ方式機能による作業能率・効果・向上を望んでいる。
【発明の開示】
【発明が解決しようとする課題】
【０００５】上記の実情から、介護記録システム、プログラムおよび記録媒体に関しては、一様性のない複雑分野のままに、情報の流れは乏しい。
本発明のシステム機能は、アイコンタッチで瞬時に利用者状況を確認し、利用者の状況把握を特徴とする。【０００６】本発明は、このような実状に鑑みなされたものであり、利用者の状況確認・介護記録入力・各種帳票出力・メ−ルで情報の共有等包括的把握が可能な一瞬変化の多い特性を有する機能を実施するプログラムおよびそのプログラムを記録した読み取り・アウトプットを可能とした記録媒体機能の提供を目的とする。
【課題を解決するための手段】
【０００７】課題を解決するために、本発明のシステム機能は前記の操作を容易とする多種・多様をパソコン業務により有効効果が得られ、好ましい選択の合理的構成が得られる。【０００８】上記目的を達成するため、サ−バ−機能を備えたシステムを入力インタ−フェ−ス機能で入力デ−タを変換入力でき、アイコン対応機能を特徴とする。【０００９】また、サ−バ−を備えたシステムを出力インタ−フエ−スで出力デ−タを変換出力でき、アイコン対応機能を特徴とする。【００１０】さらに、パソコン操作を容易にし、正確な入力ができるソフト対応をし、独自性を保持するデ−タの互換性機能を特徴とする。
【発明の効果】
【００１１】以上のように、入力の共通化によって、操作の容易なデ−タ入力・デ−タ出力を正確・容易にできることの機能を特徴とする。【００１２】また、デ−タ入力・デ−タ出力システムの独自性を保持し、デ−タ交換を可能としたことでデ−タの再入力の省力機能を特徴とする。【００１３】本発明の共通特性を有するシステムとしてなることの機能を特徴とする。
【発明を実施するための最良の形態】
【００１４】本発明の介護記録システム・プログラムおよび記録媒体のサ−バ・デ−タベ−ス・デ−タベ−スサ−バ機能を提供する。
本発明によって好ましい介護記録システム効果が得られる。【００１５】なお、本発明は上記技術の実施に限定されるものではなく、趣旨を逸脱しない種々範囲の技術機能変更は、本発明に含まれる。
【産業上の利用可能性】
【００１６】本発明を用いて、パソコン画面表示構成の共通化をすることで、アイコン化表示し頻度の高い使用目的表示に関することから、パソコン操作機能を容易にする。【００１７】本発明を用いて操作体系を標準化し、コマンドの共通化するＦキ−選択の操作でパソコン操作機能を容易にする。
さらに、汎用性の効果が得られ、産業上の利用可能性を有する。
(57)【要約】      （修正有）【課題】着火が容易で、コンパクトゴミの燃焼効率の高い、移動床式ストーカの火格子を提供する。【解決手段】ハニカム形状をしたセラミック焼成物を組み合わせた上、炭素繊維で覆い、結合させる。この火格子１０２を蛇腹状に蝶番１０４により結合させて、ゴミを焼却するストーカーとして利用すると、ゴミ燃焼時の酸素の供給が容易で、火炎が、隣接するゴミに延焼しやすく、かつ延焼面積も多くとれることから、効率の高いゴミの焼却処分が行われる。【選択図】図４
2012042199.tif 000002
【特許請求の範囲】
【請求項１】
ハニカム形状をした、セラミックの焼成物を集合させて、炭素繊維で結びつけ、セラミックの表面を炭素繊維で編んで、覆ったことを特徴とする移動床式ストーカの火格子。
【発明の詳細な説明】
【技術分野】
【０００１】
本発明は、ゴミ焼却施設における移動床式ストーカの火格子に関する。
【発明の概要】
【発明が解決しようとする課題】
【０００２】
従来、移動床式ストーカの火格子は、平坦なブロック構造で、鎖状につながれており、水平に移動しながら、火格子上のゴミを、時間の経過とともに焼却処分している。鎖状の火格子の延長距離は長く、火格子を旋廻させる時間が長い。火格子は平坦なブロック構造を有しているため、ゴミの燃焼に必要な、酸素の供給と、火炎の度合いおよび可燃物の着火状況は十分とはいえない。都市が排出する大量のゴミを、焼却処理する能力を向上する必要があり、過密する都市においては、土地の占有問題が浮上して、設備そのものをコンパクト化する必要がある。また、ゴミに点火する場合、平坦なブロック構造が所以で、容易に着火することができない課題がある。
【発明の効果】
【０００３】
ハニカム構造をなしているセラミックの焼成物を組み合わせて、炭素繊維で結合した上に、炭素繊維で編んで覆っている火格子は、耐熱性があり、衝撃に強く、軽量である。本願発明の火格子を蛇腹に結合させて、ゴミを焼却するストーカーとして利用すると、ゴミ燃焼時の酸素の供給が容易で、火炎が、隣接するゴミに延焼しやすく、かつ延焼面積も多くとれることから、効率の高いゴミの焼却処分が行われる。
【図面の簡単な説明】
【０００４】
【図１】ハニカム形状のセラミック焼成物を組み合わせた図
【図２】図１の火格子を炭素繊維で編んで覆った図
【図３】図１および図２の斜視図
【図４】蛇腹状の火格子（側面図）
【図５】ストーカーの旋回部分（側面図）
【図６】ストーカーの全容（側面図）
【図７】個々のハニカム形状のセラミック焼成物を炭素繊維で編んだ様子
【先行技術文献】
【特許文献】
【０００５】
特開平９−２２１３７２号公報  耐磨耗部材
【実施例】
【０００６】
ゴミ焼却場の移動床式ストーカによる。
【符号の説明】
【０００７】
１００  ハニカム形状のセラミック焼成物
１０１  蝶番（セラミック焼成物）
１０２  炭素繊維で包まれた火格子
１０３  火格子（斜視図）
１０４  蝶番（軸）
２００  ピニオンギア
２０１  回転子（回転軸）
３００  火炎（着火バーナ）
３０１  火炎装置
４００  炭素繊維
４０１  個々のハニカム形状のセラミック焼成物
【図１】
2012042199.tif 000003
【図２】
2012042199.tif 000004
【図３】
2012042199.tif 000005
【図４】
2012042199.tif 000006
【図５】
2012042199.tif 000007
【図６】
2012042199.tif 000008
【図７】
2012042199.tif 000009
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
ハニカム形状をした、セラミックの焼成物を集合させて、炭素繊維で結びつけ、セラミックを炭素繊維で編んで結合させたことを特徴とする移動床式ストーカの火格子。
(57)【要約】【課題】  従来のメガネはヒンジがあるために重く、構成部品が多いため壊れやすいという問題点がある【解決手段】  本発明は、テンプル３に円弧部６を設け、レンズ１の穴２に通すことで折りたたみの機構を持たせ、従来のヒンジをなくし、上記の課題を解決する。【選択図】図２
2012042903.tif 000002
【特許請求の範囲】
【請求項１】
２つのレンズをパッド付きのブリッジで連結すると共に、各レンズの側方にテンプルを差し込み可能な長穴を少なくとも２つ設け、前記テンプルの穴に差し込まれる部分を、まずブリッジの方向へ曲げた内曲げ部と、この内曲げ部に連続するようにレンズ方向に曲げた円弧部と、円弧部に連続するように穴を通り抜け、通り抜けた側のレンズ面で上下方向に曲げた先端曲げ部とから形成し、穴部分にテンプルの直線部を位置させることで装着可能にすると共に、長穴にテンプルの円弧部を位置させることによってテンプルを折りたたみ可能に形成したことを特徴とするメガネ。
【発明の詳細な説明】
【技術分野】
【０００１】  本発明は、テンプルのヒンジを無くした折りたたみ可能なメガネに関するものである。
【背景技術】
【０００２】  従来のメガネは、収納のためにテンプルにヒンジが付いていた。【０００３】  しかしながら、従来のメガネはヒンジがあるために重く、構成部品が多いため壊れやすくなっていた。
【発明の概要】
【発明が解決しようとする課題】
【０００４】  以上のように、長時間装着しているとメガネの重さで疲れてしまうことがある。さらに、構成部品が多いほど、長期間使用すると各部品の摩耗などで眼鏡が破損する可能性が高くなるという課題がある。
【課題を解決するための手段】
【０００５】  上記目的を達成するために、本発明は、レンズとテンプルの形状によって折りたたみの機構を持たせることでヒンジをなくしたことが最も主要な特徴である。
【発明の効果】
【０００６】  本発明のメガネは、ヒンジをなくしたことで装着時は軽く、壊れにくいという利点がある。
【図面の簡単な説明】
【０００７】
【図１】  本発明の全体斜視図である。
【図２】  テンプル解放時のレンズとテンプルの接合部拡大図である。
【図３】  テンプル折りたたみ時のレンズとテンプルの接合部拡大図である。
【発明を実施するための最良の形態】
【０００８】  折りたたみ機構をレンズとテンプルの接合部に持たせることで、少ない部品点数でメガネを折りたたむという目的を実現した。
【実施例】
【０００９】  図１は本発明の全体図であって、レンズ１にテンプル３が接合されている。【００１０】  図２はテンプル解放時の図であって、レンズ１の穴２にテンプル３の直線部５が通っており、装着時にはテンプル３が装着者の頭部によって外側に押し広げられ、内おさえ部４と直線部５がレンズをおさえることによってテンプルが開いた状態で固定される。【００１１】  図３は折りたたみ時の図であって、折りたたみ時は穴２にテンプル３の円弧部６が通っており、円弧部６と先端曲げ部７がレンズをおさえることによって、穴２からテンプル３が抜け落ちることはない。【００１２】  また、内おさえ部４、直線部５、円弧部６、および先端曲げ部７が同様の形状であれば、テンプル３は多様な形状で製造することができる。
【符号の説明】
【００１３】  １…レンズ
２…穴
３…テンプル
４…内おさえ部
５…直線部
６…円弧部
７…先端曲げ部
【図１】
2012042903.tif 000003
【図２】
2012042903.tif 000004
【図３】
2012042903.tif 000005
(57)【要約】【課題】            換気扇のファンが、使用により汚染されることを防止するため、ファンを用いない換気装置を提供することを課題とする。【解決手段】        前記課題を解決するために、本発明はファンを用いず、円筒状の筐体に吹き出し口を設けた本体とコンプレッサーを通気管で接続し、コンプレッサーからの空気を、通気管を通り前記本体吹き出し口から排出することで空気の流れを作り、これにより排出対象となる空気を外部へ排出することを特徴とする。また、吹き出し口の角度を内側に向け傾けることにより、吹き出し口から排出される空気を、１点に収束させることにより、真空に近い状態をつくり吸引力を持たせたこと特徴とする。【選択図】  図１
2012042064.tif 000002
【特許請求の範囲】
【請求項１】
コンプレッサーから排出される空気を利用する換気装置において、空気を排出する本体の形状をリング状の円錐型に構成することで、後面から吹き出し口に向けて内側に傾きが形成されることを特徴とする換気装置。
【請求項２】
本体の正面形状を円形以外の多角形を用いることを特徴とする、請求項１記載の換気装置。
【発明の詳細な説明】
【技術分野】
【０００１】
本発明は、ファンを用いず空気を外部へ排出する換気装置に関する。
【背景技術】
【０００２】
従来より換気の方法は、換気扇などに代表されるように、ファンの回転により空気の流れを作り出し、調理場又は室内等の空気を室外に排出している。特に調理場からの排気は、煙や油分を含み汚染されていることが多く、換気扇の筐体及びファンに汚物が付着し換気扇が汚れてしまう課題がある。特開２００３−２０２１４５号公報には、油分、臭気を除き清澄な空気にして外部に放出させる排煙換気システムにおいて、排気ファンの前に通気管を設け、その通気管内に複数のフィルタを取り付ける構成が記載されているが、これは排気される空気を清浄することが主目的で、その結果ファンを汚染しないものであり、本発明のファンを用いない換気装置とは技術的に相違する。
【先行技術文献】
【特許文献】
【０００３】
【特許文献１】特開２００３−２０２１４５号公報（図１）
【発明の概要】
【発明が解決しようとする課題】
【０００４】
換気扇のファンが、使用により汚染されることを防止するため、ファンを用いない換気装置を提供することを課題とする。
【課題を解決するための手段】
【０００５】
前記課題を解決するために、本発明はファンを用いず、円筒状の筐体に吹き出し口を設け本体とし、前記本体とコンプレッサーを通気管で接続し、コンプレッサーからの空気が、通気管を通り前記本体吹き出し口から排出されることで空気の流れを作り、これにより排出対象となる空気を外部へ排出することを特徴とする。また、吹き出し口の角度を内側に向け傾けることにより、吹き出し口から排出される空気を、１点に収束させることができ、その収束部において真空に近い状態をつくりだすことで強力な吸引力を発揮させること特徴とする。
【発明の効果】
【０００６】
本発明の換気扇により、従来のファンが存在しないことで、ファンの汚れや清掃をすることがなくなり、維持管理が容易となる。
【図面の簡単な説明】
【０００７】
【図１】本発明の使用状態を示す一例の斜視図
【図２】本体正面図
【図３】本体斜視図
【図４】形状を変えた本体の一例の斜視図
【図５】本体断面図
【発明を実施するための最良の形態】
【０００８】
本発明の詳細について、図面を用いて説明する。
【実施例１】
【０００９】
径の長い円錐状の筒体の内側に、それよりも径の短い円錐状の筒体を、径の中心部を合わせて組合せ、一方の端部をリング状の平板で貼り合せることで密閉し、この面を後面とする。対称となるもう一方は空気の吹き出し口として開放する。後面にするのは、円錐形で見たときの直径の長い方とし、後面から吹き出し部に向けて内側に傾きが形成される。この傾きにより、排出される空気が１点に収束される。
リング型に構成した円錐型の本体中心部は開口されており、排出対象となる空気はこの開口部通り外部へ排出される。更に、本体には通気管を接続する接続部を設け、前記接続部に通気管を連結し、通気管の他方にはコンプレッサーを取り付ける。円筒状の本体を固定するために、例えば、四角形状の枠を設けてもよい。図１は本発明の使用状態を示す一例の斜視図、図２は本体正面図、図５は本体断面図である。
【００１０】
コンプレッサーを駆動すると、コンプレッサーからの空気が通気管を通り、本体へ流入し、本体吹き出し口より空気が勢いよく排出される。これにより空気の流れができ、本体中心部の開口部付近の気圧が下がり、本体より後部に存在する空気を引き込み排出する。本体に設けた傾きにより、コンプレッサーからの空気は、本体吹き出し口から円錐形状のごとく吹き出し、本体から離れたある１点に向けて流出する。この１点に収束したときの風力により、気圧が低下し真空に近い状態を作り出すことで、排出対象となる空気も勢いよく吸引され排出される。前記傾きは、用途に合わせ適宜変更することが可能である。
【実施例２】
【００１１】
本体正面形状は、円形であることが望ましいが、四角形など他の多角形にすることも可能である。図４は形状を変えた本体の一例の斜視図である。
【産業上の利用可能性】
【００１２】
本発明の換気装置は工業生産が可能であり、生産者において製造・販売が可能である。
【符号の説明】
【００１３】
１  本体
２  コンプレッサー
３  吹き出し口
４  排出空気収束部
５  排気対象の空気
６  通気管
７  調理器具
８  接続部
９  排気
【図１】
2012042064.tif 000003
【図２】
2012042064.tif 000004
【図３】
2012042064.tif 000005
【図４】
2012042064.tif 000006
【図５】
2012042064.tif 000007